(57)【特許請求の範囲】
【請求項１】
躯体に固定された上枠および下枠と、前記上枠および下枠に締結することなく建て込まれた複数のパネルとを備え、隣接する前記パネルの相対する縁の一方には縦方向に延在する凸部を設け、前記パネルの相対する縁の他方には縦方向に延在する凹部を設け、該凹部の両側に位置して凹部の側面を構成する凹部側部材のいずれか一方または双方を、パネルに対し着脱可能にし、前記凸部と凹部とを嵌合させて前記複数のパネルを並べたことを特徴とするパネルのジョイント構造。
【請求項２】
躯体に固定された上枠および下枠と、前記上枠および下枠の角部に固定したコーナポスト部材と、前記上枠および下枠に締結することなく前記コーナポスト部材に隣接して建て込まれたパネルとを備え、前記コーナポスト部材とパネルとの相対する縁の一方には縦方向に延在する凸部を設け、前記コーナポスト部材とパネルとの相対する縁の他方には縦方向に延在する凹部を設け、該凹部の両側に位置して凹部の側面を構成する凹部側部材のいずれか一方または双方を、パネルまたはコーナポスト部材に対し着脱可能にし、前記凸部と凹部とを嵌合させてコーナ部を構成したことを特徴とするパネルのジョイント構造。
【請求項３】
凸部と凹部との嵌合が水平方向に外れないようにする係止部片を前記凸部と凹部との嵌合部に設けたことを特徴とする請求項１または請求項２に記載のパネルのジョイント構造。
【発明の詳細な説明】
【０００１】
【発明の属する技術分野】
本発明は、建物の壁面を構成するパネルのジョイント構造に関するものである。
【０００２】
【従来の技術】
図１１は従来のパネルのジョイント構造の一例を示す正面図、図１２は図１１のＸＩＩ−ＸＩＩ断面図である。
【０００３】
図１１、図１２において、１は建物開口の上部にある躯体、２は建物開口の下部にある躯体を示しており、壁面を構成するガラスパネル、アルミニウムパネル、断熱材の入った鋼板パネルなどのパネル３は、上縁と下縁とを躯体１、２にボルトなどの締結具４（図１２参照）で固定し、必要に応じ横棧５を配置してパネル３の中間部をボルトなどの締結具４で横棧５にも固定し、複数のパネル３を躯体１、２間にならべて壁面を構成している。
【０００４】
【発明が解決しようとする課題】
上述した図１１、図１２に示す従来のパネルのジョイント構造は、パネル３をボルトなどの締結具４で躯体１、２に固定する構造になっているため、躯体１、２間の寸法とパネル３上下の固定位置の寸法とが合わなかったり、構築の際に締結具４で固定する作業に手間がかかる問題があった。また、隣接するパネル３の間の隙間が大きくなって隙間から雨水が侵入したり、パネル３が躯体１、２および横棧５に固定されているため、地震などの層間変位によってパネル３が破損するという問題があった。
【０００５】
本発明は、このような問題を解決し、構築が簡単で、隣接するパネルの間に隙間が生じたりパネルが破損するのを防止したパネルのジョイント構造を提供することを目的とするものである。
【０００６】
【課題を解決するための手段】
請求項１の発明は、躯体に固定された上枠および下枠と、前記上枠および下枠に締結することなく建て込まれた複数のパネルとを備え、隣接する前記パネルの相対する縁の一方には縦方向に延在する凸部を設け、前記パネルの相対する縁の他方には縦方向に延在する凹部を設け、該凹部の両側に位置して凹部の側面を構成する凹部側部材のいずれか一方または双方を、パネルに対し着脱可能にし、前記凸部と凹部とを嵌合させて前記複数のパネルを並べたことを特徴とするパネルのジョイント構造を提供する。上記のパネルのジョイント構造は、パネルの上縁と下縁とを上枠および下枠に嵌め込むだけで建物の壁面を構成することができ、パネルの相対する縁は凸部と凹部とが嵌合して、隙間を生じることがなく、またパネルは躯体などに固定されていないので、地震などの層間変位によってパネルが破損することもない。更に、上記のパネルのジョイント構造は、凹部の側面を構成する凹部側部材を取り除くことにより、パネルの一部を簡単に取り外すことが可能になる。
【０００７】
請求項２の発明は、躯体に固定された上枠および下枠と、前記上枠および下枠の角部に固定したコーナポスト部材と、前記上枠および下枠に締結することなく前記コーナポスト部材に隣接して建て込まれたパネルとを備え、前記コーナポスト部材とパネルとの相対する縁の一方には縦方向に延在する凸部を設け、前記コーナポスト部材とパネルとの相対する縁の他方には縦方向に延在する凹部を設け、該凹部の両側に位置して凹部の側面を構成する凹部側部材のいずれか一方または双方を、パネルまたはコーナポスト部材に対し着脱可能にし、前記凸部と凹部とを嵌合させてコーナ部を構成したことを特徴とするパネルのジョイント構造を提供する。上記のパネルのジョイント構造は、パネルの上縁と下縁とを上枠および下枠に嵌め込むだけで建物の壁面を構成することができ、壁面に角部がある場合、角部がコーナポスト部材によって保護され、コーナポスト部材とパネルとは固定されていないので、地震などの層間変位によってパネルが破損することもない。更に、上記のパネルのジョイント構造は、凹部の側面を構成する凹部側部材を取り除くことにより、角部のパネルを簡単に取り外すことが可能になる。
【００１０】
請求項３の発明は、凸部と凹部との嵌合が水平方向に外れないようにする係止部片を前記凸部と凹部との嵌合部に設けたことを特徴とするパネルのジョイント構造を提供する。上記のパネルのジョイント構造は、凸部と凹部との嵌合を簡単に行なうことができ、嵌合させたパネルやコーナポスト部材は外れることがなく、また固定されていないので、地震などの層間変位によってパネルが破損することもない。
【００１１】
【発明の実施の形態】
以下、本発明の実施の形態を図面に基づいて説明する。
【００１２】
図９は、本発明におけるパネル建て込み状態を示す縦断面図である。本発明においては、図９に示すように建物開口の上部にある躯体１に沿って、下向きコ字状の溝６を有する上枠７をボルトなどの締結具８により水平に固定する。また建物開口の下部にある躯体２には、上向きコ字状の溝９を有する下枠１０を、上記上枠７の真下で平行するように埋め込みなどの手段によって固定する。
【００１３】
１１は、壁面を構成するガラスパネル、アルミニウムパネル、断熱材の入った鋼板パネル、またはこれらのパネルにガラス窓を嵌め込んだパネルなどの長方形のパネルであって、パネル１１の縦方向の寸法は、パネル１１の上縁を上枠７の溝６に深く嵌め込んだのち、パネル１１の下縁を下枠１０の溝９に落とし込むことにより、パネル１１を上枠７と下枠１０とに建て込むことができる寸法になっている。そして複数のパネル１１を上枠７と下枠１０との間に並べて建て込むことにより、壁面を構成するようになっている。
【００１４】
図１は、本発明の概念の一例を示す水平断面図である。
【００１５】
上述したように、上枠７や下枠１０に締結することなくたんに上枠７と下枠１０とに建て込み、しかも相互に締結することなく図１に示すようにたんに並べて相互に隣接するように建て込んだパネル１１においては、図１における右側に位置しているパネル１１の左側の縦方向の縁には縦方向に長く延びている凸部１２が設けられており、図１における左側に位置しているパネル１１の右側の縦方向の縁には、縦方向に長く延びていて上述の凸部１２が嵌入し得る凹部１３が設けられている。
【００１６】
このように隣接する縦方向の縁の凸部１２と凹部１３とをたがいに嵌合させながら上枠７と下枠１０（図９参照）との間に複数のパネル１１を並べて建て込むことにより、複数のパネル１１間には素通しになるような隙間が生ずることがなく、しかも凸部１２と凹部１３とは、上下方向およびパネル１１の面方向には相対的に変位できるため、地震などによってパネル１１が破損するようなこともない。なお、たがいに嵌合している凸部１２と凹部１３との間に、ゴムパッキン、ゴムチューブなどのシールを介在させることも可能である。
【００１７】
図２は本発明の概念の他の例を示すもので図１０のＩＩ−ＩＩ断面図であり、図１０は本発明の実施の形態の建物の角部を示す斜視図である。
【００１８】
建物の角部の壁面を構築する場合には、図１０に示すように上枠７の角部１４と下枠１０の角部１４との間に鉛直のコーナポスト部材１５を固定し、上枠７および下枠１０の角部１４に建て込んだ直角方向に隣接するパネル１１、１１の角部をコーナポスト部材１５で保護させる。
【００１９】
このコーナポスト部材１５には、図２に示すように縦方向に長く延びる凹部１３を設け、パネル１１の縁の縦方向に長く延びている凸部１２をコーナポスト部材１５の凹部１３に嵌合させる。なお、コーナポスト部材１５に凸部１２を設け、パネル１１の縁には縦方向に長く延びる凹部１３を設けて、たがいに嵌合させてもよい。これにより、コーナポスト部材１５と、これに隣接するパネル１１との間には、素通しになるような隙間が生じることがなく、また地震などによってパネル１１が破損するようなこともない。
【００２０】
図３は本発明の実施の形態の具体例を示す水平断面図、図４は図３の実施の形態に使用しているパネルの具体例を示す水平断面図、図５は図３の実施の形態に使用しているパネルの他の具体例を示す水平断面図である。
【００２１】
図３は壁面の角部になっている箇所を示していて、コーナポスト部材１５の図３における右方と上方とに、それぞれパネル１６、１７が交互に並べて建て込まれている。なお図示したパネル１６、１７は、複層のガラス板１６ａ、１７ａを備えた場合を示している。
【００２２】
交互に並べて建て込まれている一方のパネル１７は、図４に示すように左右の縦方向の縁に縦方向に長く延びている凹部１３が設けられている。この凹部１３の図４における上側の側面を構成している凹部側部材１８は、締結具１９でパネル１７に着脱可能に取り付けられている。そして凹部側部材１８の先端部内側には、金属または合成樹脂などの弾性材料で作った係止部片２０が締結具２１で取り付けられ、さらにパネル１７の部材強度を高めるための補強部材２２が締結具２３で取り付けられている。上述の凹部側部材１８は、締結具２３を外して補強部材２２を取り除いたのち締結具１９を外すことにより、パネル１７から取り外すことができる。
【００２３】
交互に並べて建て込まれている他方のパネル１６は、図５に示すように左右の縦方向の縁に縦方向に長く延びている１対の凸部１２が設けられており、さらに縦方向の縁に近接した側面に係合凹部２４が設けられている。
【００２４】
図３に示すようにコーナポスト部材１５にも凹部１３が設けてあって、その一側の先端部内側には、金属または合成樹脂などの弾性材料で作った係止部片２０が締結具２１で取り付けられている。そしてコーナポスト部材１５の図３における右方と上方の凹部１３にパネル１６の凸部１２を差し込むと、コーナポスト部材１５の係止部片２０がパネル１６の係合凹部２４に係合する。
【００２５】
このようにコーナポスト部材１５に隣接して建て込んだパネル１６の凸部１２に対し、パネル１７の凹部１３を嵌合させながらパネル１７を建て込むと、パネル１７の係止部片２０がパネル１６の係合凹部２４に係合する。これによってパネル１６に対してパネル１７は、上下方向には変位可能であるが横方向には抜け出すことができないように建て込まれることになる。
【００２６】
図３に示すように隣接して建て込んであるパネル１６、１７のいずれかを取り替える必要が生じたとき、取り替える必要があるのがパネル１６である場合には両側に隣接しているパネル１７の凹部側部材１８を取り外し、また、取り替える必要があるのがパネル１７である場合にはそれ自体の凹部側部材１８取り外す。凹部側部材１８は、図４で説明したように締結具２３、補強部材２２、締結具１９を外すと、パネル１７から取り外すことができ、その後パネル１６、１７を持ち上げることにより取外し、取り替える必要があるパネル１６、１７に交換することができる。
【００２７】
図６は、本発明の実施の形態のさらに他の具体例を示す水平断面図である。
【００２８】
図６の実施の形態においては、パネル１７の左右の縦方向の縁に縦方向に長く延びている凹部１３の両側の側面を構成している凹部側部材１８を締結具１９でパネル１７に着脱可能に取り付けている。この実施の形態では、凹部１３のいずれの側の凹部側部材１８でもパネル１７から取り外すことが可能であり、パネル１６、１７を取り替える際には、パネル１６、１７を都合のよい側に取り外すことができることになる。
【００２９】
図７は、本発明の実施の形態のさらに他の具体例を示す水平断面図である。
【００３０】
図７の実施の形態においては、コーナポスト部材１５に凸部１２を設け、このコーナポスト部材１５の凸部１２にパネル１７の凹部１３を嵌合させながらパネル１７を建て込み、このパネル１７の凹部１３にパネル１６の凸部１２を差し込んでパネル１６を建て込むようにしている。この実施の形態のパネル１７の凹部１３は、両側の凹部側部材１８を着脱可能にしたものと、片側の凹部側部材１８を着脱可能にしたものとになっている。
【００３１】
図８は、本発明の実施の形態のさらに他の具体例を示す水平断面図である。
【００３２】
図８の実施の形態においては、コーナポスト部材１５に被覆金具２５を締結具２６で着脱可能に取り付け、コーナポスト部材１５に設けた凹部１３の凹部側部材を被覆金具２５が兼ねているもので、被覆金具２５をコーナポスト部材１５から取り外すことにより、コーナポスト部材１５に隣接して建て込んであるパネル１６の凸部１２をコーナポスト部材１５の凹部１３から外すことが可能になる。
【００３３】
【発明の効果】
請求項１の発明は、パネルの上縁と下縁とを上枠および下枠に嵌め込むだけで建物の壁面を簡単に構成することができ、パネルの相対する縁は縦方向の凸部と凹部とが嵌合しているため、パネル相互間に隙間が生じることがなく、パネルが固定されていないためにパネルが地震などによる層間変位で破損を生じない効果がある。更に、凹部の側面を構成する凹部側部材を取り除くことにより、隣接するパネルの凸部を凹部からずらして、パネルの一部を簡単に取り外すことができる効果がある。
【００３４】
請求項２の発明は、壁面角部がコーナポスト部材によって保護され、コーナポスト部材とパネルの相対する縁との間に隙間が生じることがなく、パネルが固定されていないためにパネルが地震などによる層間変位で破損を生じない効果がある。更に、凹部の側面を構成する凹部側部材を取り除くことにより、角部のパネルを任意の側に簡単に取り外して交換できる効果がある。
【００３７】
請求項３の発明は、凸部と凹部との嵌合を簡単に行なうことができ、嵌合させたパネルやコーナポスト部材は外れることがなく、パネルが固定されていないためにパネルが地震などによる層間変位で破損を生じない効果がある。
【図面の簡単な説明】
【図１】  本発明の概念の一例を示す水平断面図である。
【図２】  本発明の概念の他の例を示すもので図１０のＩＩ−ＩＩ断面図である。
【図３】  本発明の実施の形態の具体例を示す水平断面図である。
【図４】  図３の実施の形態に使用しているパネルの具体例を示す水平断面図である。
【図５】  図３の実施の形態に使用しているパネルの他の具体例を示す水平断面図である。
【図６】  本発明の実施の形態のさらに他の具体例を示す水平断面図である。
【図７】  本発明の実施の形態のさらに他の具体例を示す水平断面図である。
【図８】  本発明の実施の形態のさらに他の具体例を示す水平断面図である。
【図９】  本発明におけるパネル建て込み状態を示す縦断面図である。
【図１０】  本発明の実施の形態の建物の角部を示す斜視図である。
【図１１】  従来のパネルのジョイント構造の一例を示す正面図である。
【図１２】  図１１のＸＩＩ−ＸＩＩ断面図である。
【符号の説明】
１、２  躯体
７  上枠
１０  下枠
１１  パネル
１２  凸部
１３  凹部
１４  角部
１５  コーナポスト部材
１６、１７  パネル
１８  凹部側部材
２０  係止部片
【図１】
0004415476.tif 000002
【図２】
0004415476.tif 000003
【図３】
0004415476.tif 000004
【図４】
0004415476.tif 000005
【図５】
0004415476.tif 000006
【図６】
0004415476.tif 000007
【図７】
0004415476.tif 000008
【図８】
0004415476.tif 000009
【図９】
0004415476.tif 000010
【図１０】
0004415476.tif 000011
【図１１】
0004415476.tif 000012
【図１２】
0004415476.tif 000013